(57)【要約】【課題】音響と照明を整合した状態で、同一の反射メカニズムで空間へ放散させることで、音と光が一体感を持って演出され、同時に音響と照明の２つの機能を単一の機器で実現し省スペース化を図る。【解決手段】音と光の双方に効果的に作用する反射器（リフレクタ）を、音響と光束の反射用の共通のメカニズムとして使用する。【選択図】図２
2009213103.tif 000002
【特許請求の範囲】
【請求項１】
音源となるスピーカと、光源となる発光体、並びに前記スピーカユニットから放射される音響（音波）と、前記発光体から放射される光束とを円周方向へ反射させる概ね円錐形の音響・光束反射器、並びに前記スピーカと前記発光体とを制御し駆動する制御手段を備えた照明機能付き音響機器。
【請求項２】
請求項１の音響装置であって、前記照明機能付き音響装置は更に、前記音響装置が放射する音響とは無関係に前記発光体の光量（輝度）を静的に調整可能な第１の調光手段と、前記音響装置が放射する音響に連動して前記発光体の光量（輝度）を動的に変調する第２の調光手段を有しているもの。
【発明の詳細な説明】
【技術分野】本発明は、音響を発する音響機能と、光束を発する照明機能とで構成された照明機能付き音響装置に関するものであって、より具体的には、スピーカから発した音楽を含む音波、並びに発光体から発した光束の双方、即ち、音と光の双方を共通のリフレクタ（反射器）の作用で放散させることで、互いに調和のとれた音響空間と照明空間と提供する。
【背景技術】通常の音響装置は、前方の概ね定位置で聴取されることを前提とした音響空間を形成出来る構成並びに構造を有してしている。しかし、広い空間で聴取者が移動する、或いは聴取者が多数おり特定出来ないバックグランドミュージック（背景音楽）等を提供する場合、又は昨今の５．１ｃｈや７．１ｃｈ等の多次元音響で構成されるホームシアターを含む、音響と映像が融合した環境での利用シーンでは、前記の前方から聴取する形態を前提とする音響装置での音響空間の形成では理想的と言い難く、水平面で一様に無指向性で放散する方が望ましい場合がある。一方照明機器も一般的には一様に光束を放射すること望まれ、従来は個々の装置でそれを実現する機器は存在していたが、それらを単一の装置で実現するものは存在していなかった。
【発明の開示】
【発明が解決しようとする課題】スピーカから放射する音響と、発光体が放射される光の双方を共通のメカニズムを用いて互いに概ね同じ状態で、いわゆる無指向性をもって周辺に放散させる。
【課題を解決するための手段】音波を反射させるに適した表面の硬度、粗さ、形状と、光束を反射させるに適した表面の反射率、明度、彩度、粗さ、形状とを備えた、円錐形の共通の音響・光束反射手段に、円錐の頂点方向から、音響並びに光束を同一軸で同一方向から照射させる手段を用いて、前記円錐型反射器の軸を中心として、音波及び光束を放散させる。
【発明の効果】音楽等の音響に連動しての光の変調（調光）は、音と光の環境を醸し出し調和の取れた演出効果を空間に提供する。これらをホテルのロビーや、公共施設に施すことで、和んだ癒される空間を与えることが出来る。一方、音響に連動しない静的に調光は、その空間にふさわしい光を周囲に提供することが出来、宅内のリビングルームや、書斎、寝室などに相応しい補助照明となり、一体化されている音響機器の機能で音楽等を同時に楽しむことが出来る空間を提供することが出来る。
【発明を実施するための最良の形態】以下、図に示す実施例に基づいて本発明を詳述する。尚、本発明はこれによって限定されるものではない。【００１】請求項１を実現する実施例を以下説明する。図１は本発明の係る音響装置１０の斜視図であり、通常ステレオ音響を取扱うので、図１で示すものが２台用意される。図１を用いて説明を行う。全体を呈する円筒状の本発明の照明機能付き音響装置は、本体を保持する下部脚部１１１、（図示されていない）スピーカ（１２）、増幅器（１５）、及び制御手段（１６）を収納しているエンクロージャ１１５と、スピーカの振動板を外部から保護するスピーカグリル１２２と、上部脚部１１７と、前記上部脚部１１７に保持された（本図では図示されていない）音響・光束反射器と発光部を備えた天板部１１８と、本装置をユーザが操作するための操作部１１９で構成されておる。【００２】以下、図２の平面図、正面図、断面図を用いて、実施例の構成、作用等を説明する。構成とそれらの配置は、断面図で示すとおり、エンクロジャー内に音楽等の音源を発するスピーカ１２が音軸を垂直に、且つ音波を発する振動コーン１２１を上方に向けてエンクロジャー１１５の上部に取り付けられており、音波は垂直方向の上方に放射されることになる。スピーカを駆動する増幅器１５及び音響機能と照明機能を制御する制御部１６が前記エンクロジャー１１５内に収納されており機器全体の制御を司る。【００３】本発明の主要な解決手段部分となる音響・光束リフレクタ１２１について説明を行う。前記音響・光束リフレクタ１２１は概ね円錐形をしており、音響（音波）と光ビームの双方を効率よく反射させるために、音響面では硬度、光学面には反射率、彩度、平坦度等を配慮した表面を有し、断面図に示す様に円錐形の底辺を水平且つ上方に向けて天板１１８に取り付けられている。従って、前述のスピーカ１２の取付け位置と相まって、前記音響・光束リフレクタと対向することになる。【００４】一方、照明機能に係る実施例は、断面図のように、周辺に放散する対象の光源、即ち発光体１４１が円錐形の音響・光束リフレクタ１２１の頂点の延長上の近接した位置に配備する、したがって前述の音響の軸と同じ軸上に配置されることになり、前記音響・光束リフレクタ１２１の反射機能を共用することになる。尚、本実施例では、発光体１４１はＬＥＤを想定した形で記述されるが、それに限定するものではなく、白熱球、放電型管球、その他のデバイスにも適用可能である。【００５】前述のように、音響と照明の双方に対して同じように作用する音響・光束リフレクタ１２１の作用で音響は断面図の２点破線Ｓのように反射し周辺に放散され、光束も断面図の２点破線Ｌのように反射し周辺に放散され、その放散特性、即ち放散の指向性は、共に図３の極座標特性図で示すように、水平面で無指向性を呈することとなり、音と光を同一の次元で調和した空間を提供できる特徴とした発明である。【００６】請求項２の発明の趣旨は、請求項１での光源の輝度を変化させ、周辺に放散される光の量を変化させるものである。その実施例を以下に説明する。図４は音響と相関を伴わないで輝度を調整する静的光量調整（Ｓ１及びＳ２）と、音響の条件例えば再生、演奏されている音楽等の音声信号に基づいて輝度を変化させる動的変化させる動的光量変調（Ｄ１及びＤ２）を組み合わせて実施した例である。それらを実行するにあたっての構成を下記に説明する。図５に示すように、この制御部１６は静的な輝度を調整する静的輝度調整回路１６１、動的輝度変調を行うための信号を生成する信号分析装置１６２、動的な変調の度合いを調整するいわゆる変調深度調整回路１６３、輝度変調のモードを設定するモード切換え回路１６４、静的輝度調整用信号と動的輝度変調信号を合成する合成回路１６６、発光ダイオードを駆動するＬＥＤ駆動回路１６７、発光ダイオード１６８で構成されている。前記静的輝度調整回路１６１、前記変調深度調整回路１６３、及び前記モード切換え回路１６４をユーザが任意に設定、調整する操作パネル１６９で構成されている。構成の詳細と動作を下記に説明する。【００６】静的輝度調整回路１６１は言わばポテンショメータ（可変抵抗器）で標準電圧を分圧する分圧器でありその電圧はモード切換え回路に入力される、動的変調分析回路１６２は入力信号として本装置で取り扱い中の音声電気信号の存在する部分へ接続されており、その信号の振幅、周波数成分を元に所定のアルゴリズムで分析し、輝度変調信号を生成し、前記変調深度調整回路１６３に入力される、変調深度調整回路１６３では操作パネルからのユーザの操作に基づいて増幅度を変化させてその信号を前記モード切換え回路１６４の入力端子に入力される、モード切換え回路１６４では、入力された信号を各々アナログスイッチＳＷ１及びＳＷ２をＯＮ／ＯＦＦさせ、表１に示す４つのモードで合成回路１６６へ伝達される、合成回路１６６は一種のアナログ加算回路で構成され、入力された動的輝度変調信号と静的輝度調整信号を加算し、ＬＥＤ駆動回路１６７へ入力され、最終的にはＬＥＤの駆動電流を制御して光源であるＬＥＤの発光輝度を変化させる。この光は前記の音響・光束リフレクタへ放射さてリフレクタの反射の作用でリフレクタの円周へ光を放散する。【００５】上記の設定、調整はユーザの手で操作パネル１６９から行われる。操作と輝度の変化の様相を図５で例示して説明する。静的輝度調整回路１６１はポテンショメータ機能で調整され、図示のＳ１，及びＳ２の様に輝度の静的なレベルが変化される、言わばバイアス的に動作する。変調深度調整１６３は図示のＤ１とＤ２の様に同じ信号源に対しても振幅を変えたものとなり大振幅即ち大きな輝度変調をもたらす。モード切換１６４で動的変調をオフにすると図５のＳＷ２：Ｏｆｆで示す様に、動的変調は行われず一定した輝度を維持することになる。
【図面の簡単な説明】
【図１】本発明に係る照明機能付き音響機器の、簡単な実施・構成例の斜視図
【図２】本発明に係る照明機能付き音響機器の、構成実施例を示す、平面図、正面図、及び断面図。
【図３】本発明に係る照明機能付き音響機器の、音響並びに光束の放射指向特性の模式図。
【図４】光束を静的輝度調整と、動的輝度変調を施した際の観念図。
【図５】制御部１６の内部詳細
【表１】
静的輝度調整と動的輝度変調のモード切換えで実行される形態。
【図１】
2009213103.tif 000003
【図２】
2009213103.tif 000004
【図３】
2009213103.tif 000005
【図４】
2009213103.tif 000006
【図５】
2009213103.tif 000007
2009213103.tif 000008
【手続補正書】
【提出日】平成20年8月21日(2008.8.21)
【手続補正１】
【補正対象書類名】明細書
【補正対象項目名】全文
【補正方法】変更
【補正の内容】
【発明の詳細な説明】
【技術分野】
【０００１】
本発明は、音響を発する音響機能と、光束を発する照明機能とで構成された照明機能付き音響装置に関するものであって、より具体的には、スピーカから発した音楽を含む音波、並びに発光体から発した光束の双方、即ち、音と光の双方を共通のリフレクタ（反射器）の作用で放散させることで、互いに調和のとれた音響空間と照明空間と提供する。
【背景技術】
【０００２】
通常の音響装置は、前方の概ね定位置で聴取されることを前提とした音響空間を形成出来る構成並びに構造を有してしている。しかし、広い空間で聴取者が移動する、或いは聴取者が多数おり特定出来ないバックグランドミュージック（背景音楽）等を提供する場合、又は昨今の５．１ｃｈや７．１ｃｈ等の多次元音響で構成されるホームシアターを含む、音響と映像が融合した環境での利用シーンでは、前記の前方から聴取する形態を前提とする音響装置での音響空間の形成では理想的と言い難く、水平面で一様に無指向性で放散する方が望ましい場合がある。一方照明機器も一般的には一様に光束を放射すること望まれ、従来は個々の装置でそれを実現する機器は存在していたが、それらを単一の装置で実現するものは存在していなかった。
【発明の開示】
【発明が解決しようとする課題】
【０００３】
スピーカから放射する音響と、発光体が放射される光の双方を共通のメカニズムを用いて互いに概ね同じ状態で、いわゆる無指向性をもって周辺に放散させる。
【課題を解決するための手段】
【０００４】
音波を反射させるに適した表面の硬度、粗さ、形状と、光束を反射させるに適した表面の反射率、明度、彩度、粗さ、形状とを備えた、円錐形の共通の音響・光束反射手段に、円錐の頂点方向から、音響並びに光束を同一軸で同一方向から照射させる手段を用いて、前記円錐型反射器の軸を中心として、音波及び光束を放散させる。
【発明の効果】
【０００５】
音楽等の音響に連動しての光の変調（調光）は、音と光の環境を醸し出し調和の取れた演出効果を空間に提供する。これらをホテルのロビーや、公共施設に施すことで、和んだ癒される空間を与えることが出来る。一方、音響に連動しない静的に調光は、その空間にふさわしい光を周囲に提供することが出来、宅内のリビングルームや、書斎、寝室などに相応しい補助照明となり、一体化されている音響機器の機能で音楽等を同時に楽しむことが出来る空間を提供することが出来る。
【発明を実施するための最良の形態】
【０００６】
以下、図に示す実施例に基づいて本発明を詳述する。尚、本発明はこれによって限定されるものではない。
請求項１を実現する実施例を以下説明する。図１は本発明の係る音響装置１０の斜視図であり、通常ステレオ音響を取扱うので、図１で示すものが２台用意される。図１を用いて説明を行う。全体を呈する円筒状の本発明の照明機能付き音響装置は、本体を保持する下部脚部１１１、（図示されていない）スピーカ（１２）、増幅器（１５）、及び制御手段（１６）を収納しているエンクロージャ１１５と、スピーカの振動板を外部から保護するスピーカグリル１２２と、上部脚部１１７と、前記上部脚部１１７に保持された（本図では図示されていない）音響・光束反射器と発光部を備えた天板部１１８と、本装置をユーザが操作するための操作部１１９で構成されておる。
【０００７】
以下、図２の平面図、正面図、断面図を用いて、実施例の構成、作用等を説明する。構成とそれらの配置は、断面図で示すとおり、エンクロジャー内に音楽等の音源を発するスピーカ１２が音軸を垂直に、且つ音波を発する振動コーン１２１を上方に向けてエンクロジャー１１５の上部に取り付けられており、音波は垂直方向の上方に放射されることになる。スピーカを駆動する増幅器１５及び音響機能と照明機能を制御する制御部１６が前記エンクロジャー１１５内に収納されており機器全体の制御を司る。
【０００８】
本発明の主要な解決手段部分となる音響・光束リフレクタ１２１について説明を行う。前記音響・光束リフレクタ１２１は概ね円錐形をしており、音響（音波）と光ビームの双方を効率よく反射させるために、音響面では硬度、光学面には反射率、彩度、平坦度等を配慮した表面を有し、断面図に示す様に円錐形の底辺を水平且つ上方に向けて天板１１８に取り付けられている。従って、前述のスピーカ１２の取付け位置と相まって、前記音響・光束リフレクタと対向することになる。
【０００９】
一方、照明機能に係る実施例は、断面図のように、周辺に放散する対象の光源、即ち発光体１４１が円錐形の音響・光束リフレクタ１２１の頂点の延長上の近接した位置に配備する、したがって前述の音響の軸と同じ軸上に配置されることになり、前記音響・光束リフレクタ１２１の反射機能を共用することになる。尚、本実施例では、発光体１４１はLEDを想定した形で記述されるが、それに限定するものではなく、白熱球、放電型管球、その他のデバイスにも適用可能である。
【００１０】
前述のように、音響と照明の双方に対して同じように作用する音響・光束リフレクタ１２１の作用で音響は断面図の２点破線Sのように反射し周辺に放散され、光束も断面図の２点破線Lのように反射し周辺に放散され、その放散特性、即ち放散の指向性は、共に図３の極座標特性図で示すように、水平面で無指向性を呈することとなり、音と光を同一の次元で調和した空間を提供できる特徴とした発明である。
【００１１】
請求項２の発明の趣旨は、請求項１での光源の輝度を変化させ、周辺に放散される光の量を変化させるものである。その実施例を以下に説明する。図４は音響と相関を伴わないで輝度を調整する静的光量調整（S1及びS2）と、音響の条件例えば再生、演奏されている音楽等の音声信号に基づいて輝度を変化させる動的変化させる動的光量変調（D1及びD2）を組み合わせて実施した例である。それらを実行するにあたっての構成を下記に説明する。図５に示すように、この制御部１６は静的な輝度を調整する静的輝度調整回路161、動的輝度変調を行うための信号を生成する信号分析装置162、動的な変調の度合いを調整するいわゆる変調深度調整回路１６３、輝度変調のモードを設定するモード切換え回路１６４、静的輝度調整用信号と動的輝度変調信号を合成する合成回路１６６、発光ダイオードを駆動するLED駆動回路１６７、発光ダイオード１６８で構成されている。  前記静的輝度調整回路１６１、前記変調深度調整回路１６３、及び前記モード切換え回路１６４をユーザが任意に設定、調整する操作パネル１６９で構成されている。構成の詳細と動作を下記に説明する。
【００１２】
静的輝度調整回路１６１は言わばポテンショメータ（可変抵抗器）で標準電圧を分圧する分圧器でありその電圧はモード切換え回路に入力される、動的変調分析回路１６２は入力信号として本装置で取り扱い中の音声電気信号の存在する部分へ接続されており、その信号の振幅、周波数成分を元に所定のアルゴリズムで分析し、輝度変調信号を生成し、前記変調深度調整回路１６３に入力される、変調深度調整回路１６３では操作パネルからのユーザの操作に基づいて増幅度を変化させてその信号を前記モード切換え回路１６４の入力端子に入力される、モード切換え回路１６４では、入力された信号を各々アナログスイッチSW1及びSW2をON/OFFさせ、表１に示す
【表１】
2009213103.tif 000009
４つのモードで合成回路１６６へ伝達される、合成回路１６６は一種のアナログ加算回路で構成され、入力された動的輝度変調信号と静的輝度調整信号を加算し、LED駆動回路１６７へ入力され、最終的にはLEDの駆動電流を制御して光源であるLEDの発光輝度を変化させる。この光は前記の音響・光束リフレクタへ放射さてリフレクタの反射の作用でリフレクタの円周へ光を放散する。
【００１３】
上記の設定、調整はユーザの手で操作パネル１６９から行われる。操作と輝度の変化の様相を図５で例示して説明する。静的輝度調整回路１６１はポテンショメータ機能で調整され、図示のS1,及びS2の様に輝度の静的なレベルが変化される、言わばバイアス的に動作する。変調深度調整１６３は図示のD1とD2の様に同じ信号源に対しても振幅を変えたものとなり大振幅即ち大きな輝度変調をもたらす。モード切換１６４で動的変調をオフにすると図５のSW2:Offで示す様に、動的変調は行われず一定した輝度を維持することになる。
【図面の簡単な説明】
【００１４】
【図１】本発明に係る照明機能付き音響機器の、簡単な実施・構成例の斜視図
【図２】本発明に係る照明機能付き音響機器の、構成実施例を示す、平面図、正面図、及び断面図。
【図３】本発明に係る照明機能付き音響機器の、音響並びに光束の放射指向特性の模式図。
【図４】光束を静的輝度調整と、動的輝度変調を施した際の観念図。
【図５】制御部１６の内部詳細
【手続補正２】
【補正対象書類名】図面
【補正対象項目名】全図
【補正方法】変更
【補正の内容】
【図１】
2009213103.tif 000010
【図２】
2009213103.tif 000011
【図３】
2009213103.tif 000012
【図４】
2009213103.tif 000013
【図５】
2009213103.tif 000014